(57)【要約】      （修正有）【課題】収容部への被収容物の収容作業を極めて容易にすると共に、美観を向上させたファイルを提供する。【解決手段】ファイルは、表シート２１と、表シートに底片２を介して連続する裏シート２２と、表裏シート間に介在された複数枚の仕切りシートとを備える。複数枚の仕切りシートを重ね合わせてその下辺に沿った所定位置を一体的に接合させて仕切りシート群１が構成され、少なくとも一枚の仕切りシートの下辺から下方へ延設させた舌片１２を底片の内面に接合させた構成とする。【選択図】図３
0003227353.tif 000002
【実用新案登録請求の範囲】
【請求項１】
表シートと、前記表シートに底片を介して連続する裏シートと、内面相互を対向させた前記表シートと前記裏シートとの間に介在された複数枚の仕切りシートとを備え、
前記複数枚の仕切りシートを重ね合わせてその下辺に沿った所定位置を一体的に接合させて仕切りシート群が構成され、
少なくとも一枚の仕切りシートの下辺から舌片が下方へ延設され、前記舌片を前記底片の内面に接合させた構成とするファイル。
【請求項２】
請求項１に記載のファイルにおいて、
前記表シート、前記裏シート及び前記底片は、連続する一枚の弾性を有する樹脂製シートで形成され、
前記仕切りシートは、弾性を有する樹脂製シートで形成され、
複数の仕切りシート相互、及び、前記舌片と前記底片とは、溶着により接合されているファイル。
【請求項３】
請求項１又は２に記載のファイルにおいて、
前記複数の仕切りシートは、各々の上辺に見出し片が突設されると共に、各々が異なる色のカラーシートで形成され、
複数の仕切りシートを重ね合わせて仕切りシート群を構成したとき、前記各見出し片は、全部が重なることなく位置ずれして配設されているファイル。
【考案の詳細な説明】
【技術分野】
【０００１】
本考案は、複数枚の仕切りシートを備えるファイルに関する。
【背景技術】
【０００２】
図４に示すように、底片３３を介して連続する表シート３１と裏シート３２との間に、複数の仕切りシート３を、表裏シート３１，３２に添うように介在させることにより、複数の仕切りシート３で区画された複数の収容部３０が上方に開放するように設けられたファイルが知られている（特許文献１）。
【０００３】
複数の仕切りシート３は、各々の底辺又は側辺にて部分的に連続させることにより、仕切りシート群を構成しており、そのうちの少なくとも一枚は、下辺から舌片３５が下方へ延設された形状の固定用シート３ａとしている。固定用シート３ａが、例えば、同図４に示すように、裏シート３２側に位置する場合では、舌片３５は、仕切りシート群の下方を通って、表シート３１の内面下部域に至る長さに設定され、この舌片３５を表シート３１の内面下部域に溶着により接合させる。
【０００４】
これにより、複数の仕切りシート群は、固定用シート３ａの舌片３５を、表裏シート３１，３２の少なくとも一方の内面に接合させることにより、表シート３１と裏シート３２との間にて脱落防止状態に固定される。表シート３１と裏シート３２の両側辺部に蛇腹状のマチ部３４を設ければ、表裏シート３１，３２間に、複数の仕切りシート３で区画された上方開放の複数の収容部３０を有するファイルとなる。この形式のファイルでは、複数種の書類等の被収容物を各収容部３０に分類して収容することができる上に、マチ部３４を伸張させれば各収容部３０の上方開放部を大きく開くことができ、各収容部３０への被収容物の出し入れが容易となる。また、表シート３１と裏シート３２とを近接させれば、各収容部３０の上方は略閉塞状態となり、被収容物の落下を抑制することができると共に、全体に嵩低く略扁平状態となるから、ファイルをコンパクトに形成することができる。
【先行技術文献】
【特許文献】
【０００５】
【特許文献１】意匠登録第１３３９３５０号公報
【考案の概要】
【考案が解決しようとする課題】
【０００６】
しかしながら、図４に示す従来のものでは、表シート３１の内面下部域に舌片３５を接合させているから、表シート３１の内面には、舌片３５の肉厚分の段差が形成される態様となる。よって、表シート３１と仕切りシート３との間の収容部３０に、書類等の被収容物を収容する際に、被収容物が舌片３５による段差に引っ掛かって入れにくいという問題がある。また、舌片３５を表シート３１の内面に溶着により接合したものでは、表シート３１の外面に、舌片３５の溶着跡３６が露見するため、美観を損なうという不都合がある。
【０００７】
本考案は、以上の事情に鑑みてなされたものであり、その目的は、すべての収容部に、書類等の被収容物が引っ掛かることなく極めて円滑に収容できるようにすると共に、美観を向上させたファイルを提供することを課題とする。
【課題を解決するための手段】
【０００８】
本考案に係るファイルは、
表シートと、前記表シートに底片を介して連続する裏シートと、内面相互を対向させた前記表シートと前記裏シートとの間に介在された複数枚の仕切りシートとを備え、
前記複数枚の仕切りシートを重ね合わせてその下辺に沿った所定位置を一体的に接合させることにより仕切りシート群が構成され、
少なくとも一枚の仕切りシートの下辺から舌片が下方へ延設され、前記舌片を前記底片の内面に接合させる構成とするものである。
【０００９】
前記構成より、前記舌片は、仕切りシートの下辺から延設されたものであり、この舌片が底片に接合されることにより、仕切りシート群が脱落防止状態に固定されることとなり、且つ表シートの内面及び裏シートの内面側には、前記舌片による段差のような障害物は形成されない。従って、表シートとそれに隣接する仕切りシートとで構成される収容部、又は、裏シートとそれに隣接する仕切りシートとで構成される収容部に、書類等の被収容物を収容する際に、前記被収容物が収容途中で引っ掛かることはなく、表シート又は裏シートの内面に摺動させながらスムーズに収容させることができる。収容部への被収容物の出し入れも極めて円滑に行うことができる。
また、表シートの外面にも裏シートの外面にも舌片の接合部分は露見しないから、ファイルの美観を向上させることができる。
【００１０】
さらに、仕切りシート群は、複数枚の仕切りシートを重ね合わせた状態で、その下辺に沿った所定位置を一体的に接合させた構成であるから、仕切りシート間は、前記下辺に沿った接合個所の近傍域では、相互に略密着状態に重なり合った態様となっている。従って、隣接する２枚の仕切りシート間の収容部に、書類等の被収容物を収容すると共に、前記接合個所に達するまで深く差し込むと、前記被収容物は略密着状態にある２枚の仕切りシート間にしっかりと挟持されることとなるため、仕切りシート群の開放部を下に向けてファイルを支持しても、被収容物が不用意に脱落するのを防止することができる。
【００１１】
上記ファイルにおいて、
前記表シート、前記裏シート及び前記底片は、連続する一枚の弾性を有する樹脂製シートで形成され、
前記仕切りシートは、弾性を有する樹脂製シートで形成され、
複数の仕切りシート相互、及び、前記舌片と前記底片とは、溶着により接合されているものとすることができる。
この場合、仕切りシート群が脱落防止状態に接合された比較的丈夫なファイルが構成される。仕切りシート群に収容する被収容物は、仕切りシートを形成する樹脂製シートの弾性力等で不用意に脱落することを一層防止することができる。また、表裏シートの外面には舌片の溶着跡が露見しないから、ファイルの美観を向上させることができる。
【００１２】
上記ファイルにおいて、
前記複数の仕切りシートは、各々の上辺に見出し片が突設されると共に、各々が異なる色のカラーシートで形成され、
複数の仕切りシートを重ね合わせて仕切りシート群を構成したとき、前記各見出し片は、全部が重なることなく位置ずれして配設されているものとすることができる。
この場合、複数の仕切りシートを全て異なる色のカラーシートで構成したから、カラフルな仕切りシート群となり、ファイルの美観が向上する。特に、複数の仕切りシートとして、虹色を基本とした配色のカラーシートを採用し、それを虹の配色順に重ね合わせて仕切りシート群を構成すれば、仕切りシート群の上辺に沿って、見出し片による虹色グラデーションが形成されることとなり、一層美しい外観のファイルを提供することができる。
【考案の効果】
【００１３】
以上より、本考案に係るファイルによれば、すべての収容部に、書類等の被収容物が引っ掛かることなく極めて円滑に収容することができ、舌片が表裏シートの外面に露見されず美観を向上させることができる。
【図面の簡単な説明】
【００１４】
【図１】本考案の実施の形態によるファイルの斜視図である。
【図２】本考案の実施の形態によるファイルの分解斜視図である。
【図３】本考案の実施の形態によるファイルの要部拡大側面図である。
【図４】従来のファイルの斜視図である。
【考案を実施するための形態】
【００１５】
以下に、本考案の実施の形態について説明する。
図１に示すように、実施の形態に係るファイルは、帯状の底片２を介して連続する横長矩形状の表シート２１と裏シート２２とからなる台紙２００に、同じく横長矩形状の複数の仕切りシート１１を重ね合わせてなる仕切りシート群１を脱落防止状態に介在させることにより、上方の長辺側に開放する複数の収容部１０が設けられたドキュメントファイルである。なお、各収容部１０は、Ａ４用紙が収容可能な大きさに設定することができる。
【００１６】
台紙２００は、図２に示すように、帯状の底片２の両長辺に表シート２１と裏シート２２がそれぞれ連続する一枚の半透明な樹脂製シートからなり、特に、この実施の形態では、弾性を有するように、ポリプロピレン樹脂シートで形成されている。表シート２１と底片２との境界線２ａ、及び裏シート２２と底片２との境界線２ｂに沿って谷折りに形成すると共に、底片２の長辺に沿った中心線２ｃで山折りに形成することにより、一枚の台紙２００は、略Ｗ字状に折り畳まれることとなり、長手方向に沿って山状に屈曲する底片２の両側に、図３に示すように、表シート２１と裏シート２２とを、内面２１ａ，２２ａ相互が対峙するように容易に起立させることができる。
【００１７】
表シート２１の両側辺の底片２寄りの所定範囲には、縦方向の中心線２ｄで二つ折り可能なマチ部２３が延設されている。このマチ部２３の延長端辺に、折り曲げ線２ｅを介して接合片２４がさらに延設されており、この接合片２４を裏シート２２の対応個所に外面側から溶着させる。
【００１８】
仕切りシート群１を構成している複数の仕切りシート１１は、全て異なる色の樹脂製のカラーシートからなり、特に、この実施の形態では、弾性を有するように、ポリプロピレン樹脂シートで形成されている。なお、最も表シート２１側に位置する前シート１１１を赤色とすると共に、最も裏シート２２側に位置する後シート１１２を紫色とし、その間に位置する複数の仕切りシート１１は、赤から紫に至る虹色グラデーションが構成される配色に設定されているものとする。
【００１９】
各仕切りシート１１の上辺には、見出し片１４が上方に突設されている。見出し片１４は、仕切りシート１１を素材シートから形成する際に一体に形成されたものであり、仕切りシート１１と同じ色を有している。従って、複数の仕切りシート１１を、グラデーションの配色順に重ね合わせて、仕切りシート群１を構成したとき、各見出し片１４は、図２に示すように、それぞれ前後に重なり合わないように、各仕切りシート１１の上辺からの見出し片１４の突出位置は各々設定されている。よって、仕切りシート群１を正面又は背面から見た時、仕切りシート群１の上辺に沿って並ぶ複数の見出し片１４による虹色グラデーションが外観され、ファイルの美観を向上させることができる。
【００２０】
各仕切りシート１１の両側辺は、下辺寄りの所定範囲が内方へ切り欠かれた形状となっているため、これを重ね合わせて仕切りシート群１を構成したとき、仕切りシート群１の両側面の所定位置に、図２に示すような、凹部１３が形成された形状を有する。また、前シート１１１は、その下辺中央域から、折り曲げ線1ａを介して、舌片１２が下方へ延設された形状となっている。
【００２１】
前シート１１１及び後シート１１２を含む複数の仕切りシート１１は、上下辺及び両側辺が一致するように所定の配色順に重ね合わされた状態にて、前記下辺に沿った所定位置を、スポット溶着により一体的に接合されて仕切りシート群１が構成されている。各仕切りシート１１は、弾性を有する所定の厚みのある樹脂製シートから形成されているので、複数の仕切りシート１１は、相互にぴったりと重なり合った状態となり、特に、下辺の溶着部４に沿った所定範囲は略密着状態となっている。
【００２２】
複数の仕切りシート１１が一体に重ね合わされた仕切りシート群１のうち、一番手前に配設されている前シート１１１の舌片１２を折り曲げ線１ａに沿って後方へ折り返すと、図３に示すように、前シート１１１と舌片１２の延長端との間に、後シート１１２を含む仕切りシート群１が位置する態様となる。この舌片１２を、図２に示すように、展開状態にある台紙２００の底片２のうち、中心線２ｃよりも表シート２１側に位置する前底片２０にスポット溶着により接合させる。これにより、仕切りシート群１は、表シート２１と裏シート２２との間にて、表シート２１側に寄った位置で脱落防止状態に固定される。
【００２３】
上記したように、表シート２１と裏シート２２との間に仕切りシート群１を脱落防止状態に挟み込んだ状態にて、表シート２１に連設させたマチ部２３の接合片２４を、裏シート２２に外面側から当てがって、その対応個所を接合域２５としてスポット溶着により接合する。これにより、表シート２１と裏シート２２と底片２と一対のマチ部２３との間に、仕切りシート群１が脱落防止状態に固定されたファイルが完成する。このファイルでは、仕切りシート群１は、少なくとも一枚の仕切りシート１１から延設させた舌片１２を、底片２に溶着接合させることにより脱落防止状態に固定させているから、表裏シート２１，２２の外面には舌片１２の溶着部が現れることがない。
【００２４】
前記ファイルを、表シート２１と裏シート２２、及び、仕切りシート群１がそれぞれ略垂直姿勢となるように起立させると、図１に示すように、表シート２１と前シート１１１との間、各仕切りシート１１間、裏シート２２と後シート１１２との間に、それぞれ、上方に開放する収容部１０が形成される。なお、上記起立姿勢にて、表シート２１の上辺までの高さは、仕切りシート１１の上辺までの高さに略一致させていると共に、裏シート２２の高さは、仕切りシート１１の見出し片１４の上端までの高さよりも高く設定されている。
【００２５】
マチ部２３を中心線２ｄに沿って内側に折り畳むと、二つ折りにされたマチ部２３が、表裏シート３１，３２の両側辺よりも内方に突出する態様となるが、この突出部分に対応する仕切りシート群１の両側には、凹部１３が形成されているから、内方へ突出するように折り畳まれたマチ部２３を凹部１３に吸収させることができる。また、図３に示すように、仕切りシート群１は、底片２のうち、前片２０寄りに位置するように固定されているから、底片２は、仕切りシート群１の存在に関わりなく、中心線２ｃに沿って内側へ二つ折りにすることができる。このように、マチ部２３及び底片２は折り畳み自在であり、これらを折り畳むことにより、表シート２１と裏シート２２とを近接させれば、ファイルを扁平に保持することができ、全体に嵩が低くなった状態で容易に持ち運ぶことができる。
【００２６】
裏シート２２の高さは、表シート２１や見出し片１４の高さよりも高く設定されているから、裏シート２２の上辺域に指をかけて、表シート２１から離反する方向に引っ張れば、裏シート２２は、マチ部２３を伸張させながら、マチ部２３を溶着させている接合域２５よりも上部域にて弾性的に後方へ撓むこととなり、裏シート２２と後シート１１２との間に位置する収容部１０の上方を大きく開くことができる。また、表シート２１における、マチ部２３よりも上方域を前方へ撓ませれば、表シート２１と前シート１１１との間の収容部１０の上方も大きく開放させることができる。さらに、各仕切りシート１１も弾性を有する樹脂製シートから形成されているから、各見出し片１４を押さえながら各仕切りシート１１を撓ませれば、仕切りシート１１間の収容部１０の上方も容易に開放させることができる。
【００２７】
特に、表シート２１又は裏シート２２を、相互に離反する方向に手で引っ張ることにより撓ませて、表シート２１と前シート１１１との間、又は、裏シート２２と後シート１１２との間に形成される収容部１０に、書類等の被収容物を収容させるとき、表シート２１の内面２１ａ及び裏シート２２の内面２２ａは、全域的に平坦な面からなり、各収容部１０に前記被収容物を収容させる際に収容途中で被収容物が引っ掛かるような障害物は何ら突出していないから、前記被収容物は、表シート２１の内面２１ａ又は裏シート２２の内面２２ａに摺動させながら、スムーズに収容可能となる。
【００２８】
また、仕切りシート群１を構成している前シート１１１及び後シート１１２を含む複数枚の仕切りシート１１は、相互にぴったりと重なり合った状態にて、その下辺に沿って溶着された構成であるから、溶着部４に沿った所定範囲は特に密着した状態となっている。隣接する２枚の仕切りシート１１の上辺相互間を強制的に手で開いてこれら仕切りシート１１を弾性的に撓ませて、両者間の収容部１０の上方を開放させ、この開放部から複数枚の用紙等の被収容物を収容部１０内に差し入れる際に、溶着部４に沿った所定範囲に達するまでしっかりと差し込む。その後、手を放せば、隣接する２枚の仕切りシート１１は撓んだ状態から弾性復帰することとなって、前記上辺相互間は閉塞されると共に、前記用紙は、前記２枚の仕切りシート１１間に挟持された状態で、さらに、その表裏から弾性的に押圧された収容態様となる。これにより、前記用紙は、２枚の仕切りシート１１間にて、確実に安定した状態で収容されることとなり、収容部１０の上方開放部を下に向けてファイルを支持しても、用紙等の被収容物が不用意に落下することはない。
なお、本考案は、実施形態のみに限定されず、実用新案登録請求の範囲内で様々な変更を施すことが可能である。
【符号の説明】
【００２９】
１  仕切りシート群
１ａ  折り曲げ線
２  底片
２ａ，２ｂ  境界線
２ｃ，２ｄ  中心線
２ｅ  折り曲げ線
３  仕切りシート
３ａ  固定用シート
４  溶着部
１０  収容部
１１  仕切りシート
１２  舌片
１３  凹部
１４  見出し片
２０  前底片
２１  表シート
２１ａ  内面
２２  裏シート
２２ａ  内面
２３  マチ部
２４  接合片
２５  接合域
３０  収容部
３１  表シート
３２  裏シート
３３  底片
３４  マチ部
３５  舌片
３６  溶着跡
１１１  前シート
１１２  後シート
２００  台紙
【図１】
0003227353.tif 000003
【図２】
0003227353.tif 000004
【図３】
0003227353.tif 000005
【図４】
0003227353.tif 000006